(57)【要約】【課題】浴室の壁面との間に形成された背面側空間に湯水が侵入することにより、背面側空間に湯水が溜まったり、これを原因とする故障を防止可能な浴室設置用電気・電子機器の提供を目的とする。【解決手段】リモコン１は、背面３０ｂの幅方向両隅であって、設置状態において下方側となる部分に背面側開口３７，３７を有する。背面側開口３７，３７は、リモコン１のケース１０の外縁に沿って形成されたリブ部３３に対して隣接する位置にある。そのため、リモコン１は、浴室の壁面への取り付け施工時に壁面との境界部分にコーキング剤を充填しても、これが背面側開口３７，３７を閉塞しない。【選択図】図２
2008246134.tif 000002
【特許請求の範囲】
【請求項１】
浴室の壁面に取り付けられる浴室設置用電気・電子機器であって、
電気・電子部品と、当該電気・電子部品を収容したケースを有し、
当該ケースが、浴室の壁面への設置状態において壁面と対向する背面と、下方に向く底面とを有し、
前記背面には背面側開口が設けられており、前記底面には底面側開口が設けられており、
前記背面側開口と底面側開口との間で湯水が流通可能なものであり、
前記背面側には、当該背面の外縁に沿って形成され、前記背面に対して交差する方向に突出した凸部があり、
当該凸部に対して、ケースの中心側に隣接する位置に背面側開口が設けられていることを特徴とする浴室設置用電気・電子機器。
【請求項２】
前記背面側開口が、ケースの背面側であって、浴室の壁面への設置状態において下方側になる位置に設けられていることを特徴とする請求項１に記載の浴室設置用電気・電子機器。
【請求項３】
凸部が、浴室の壁面への設置状態において当該壁面と対向あるいは面接触する対向面と、壁面に対して交差する交差面とを有し、前記対向面と交差面とによって構成される角部が面取りされていることを特徴とする請求項１又は２に記載の浴室設置用電気・電子機器。
【請求項４】
ケース内に収容されている電気・電子部品に対して電気的に接続された配線を有し、
ケースの背面側に、前記配線をケースの外側に取り出すための配線取出口が設けられており、
浴室の壁面への設置状態において前記配線取出口よりも下方側となる位置に背面側開口が設けられていることを特徴とする請求項１〜３のいずれかに記載の浴室設置用電気・電子機器。
【請求項５】
電気・電子部品、当該電気・電子部品を実装してなる基板、あるいは、当該基板を備えた電気・電子モジュールを設置するための設置スペースがケース内に設けられており、
前記設置スペースを外れた位置に背面側開口及び／又は底面側開口が設けられていることを特徴とする請求項１〜４のいずれかに記載の浴室設置用電気・電子機器。
【請求項６】
ケースの背面と浴室の壁面との間に弾性体からなるシール部材が介在し、凸部が前記壁面に押しつけられた状態で取り付け施工されるものであり、
前記背面に対する凸部の突出量が、前記シール部材の厚み以下とされており、
前記壁面への取り付け施工状態において、前記背面と壁面との間でシール部材が圧縮された状態となることを特徴とする請求項１〜５のいずれかに記載の浴室設置用電気・電子機器。
【発明の詳細な説明】
【技術分野】
【０００１】
本発明は、浴室に設置されるリモコンや、浴室設置用のテレビのようなＡＶ（audiovisual）機器に代表される浴室設置用電気・電子機器に関するものである。
【背景技術】
【０００２】
従来より、下記特許文献に開示されているリモコンに代表されるような電気機器や電子機器が浴室の壁面に設置されている。このような電気・電子機器を浴室の壁面に取り付ける場合は、壁面と電気・電子機器との間に形成された隙間に湯水が侵入するのを防止すべく、いわゆるコーキング剤に代表される充填剤が電気・電子機器の外縁に沿って充填されている。
【特許文献１】特開２００１−１０８２９６号公報
【特許文献２】特開２００７−３０３０号公報
【発明の開示】
【発明が解決しようとする課題】
【０００３】
上記したように、電気・電子機器を浴室の壁面に取り付ける場合は、これの外縁と壁面との間に充填剤が充填されるが、充填剤の充填が不十分であったり、充填剤が劣化する等して電気・電子機器と壁面との間にごく僅かな隙間や割れ目ができてしまうことがあった。このよな隙間や割れ目ができてしまうと、当該部位から電気・電子機器の背面と壁面との間に形成された空間（以下、背面側空間とも称す）に湯水が侵入し、溜まってしまう可能性があった。また、前記した背面側空間に湯水が溜まると、電気・電子機器に接続された配線が湯水に触れたり、配線を取り出すために電気・電子機器の背面に設けられた開口から湯水が侵入する等して電気・電子機器の故障の原因になる可能性もあった。
【０００４】
また、引用文献２に開示されている従来技術のように排水孔を設ける場合は、背面側空間に流入した湯水を排出することが可能となる。しかし、引用文献２に開示されているような構成とした場合であっても、施工時に充填剤によって排水孔が閉塞されてしまうと排水孔が用をなさず、電気・電子機器の故障を招来する可能性があった。
【０００５】
そこで、かかる課題を解消すべく、本発明は、浴室の壁面との間に形成された背面側空間に湯水が侵入することにより、背面側空間に湯水が溜まったり、これを原因とする故障が起こるのを防止可能な浴室設置用電気・電子機器の提供を目的とした。
【課題を解決するための手段】
【０００６】
上記した課題を解決すべく提供される請求項１に記載の発明は、浴室の壁面に取り付けられる浴室設置用電気・電子機器であって、電気・電子部品と、当該電気・電子部品を収容したケースを有し、当該ケースが、浴室の壁面への設置状態において壁面と対向する背面と、下方に向く底面とを有し、前記背面には背面側開口が設けられており、前記底面には底面側開口が設けられており、前記背面側開口と底面側開口との間で湯水が流通可能なものであり、前記背面側には、当該背面の外縁に沿って形成され、背面に対して交差する方向に突出した凸部があり、当該凸部に対して、ケースの中心側に隣接する位置に前記背面側開口が設けられていることを特徴とする浴室設置用電気・電子機器である。
【０００７】
本発明の浴室設置用電気・電子機器では、ケースの背面側に、背面の外縁に沿って形成され、ケースの背面に対して交差する方向に突出した凸部を有する。そのため、本発明の浴室設置用電気・電子機器のケースは、背面側の外縁部分が、凸部によって段状に形成されている。従って、本発明の浴室設置用電気・電子機器は、壁面への取り付け施工時にケースの外縁に沿って充填剤を充填しても、凸部よりも内側に充填剤が侵入しにくい。
【０００８】
一方、本発明の浴室設置用電気・電子機器では、ケースの背面側に設けられた凸部に対して背面の内側に隣接する位置に背面側開口が設けられている。そのため、本発明の浴室設置用電気・電子機器では壁面への取り付け施工時にケースの外縁に沿って充填剤を充填しても、充填剤によって背面側開口が閉塞されるといった不具合が起こりにくい。
【０００９】
また、本発明の浴室設置用電気・電子機器では、ケースの背面を浴室の壁面に向けて取り付けた際に、ケースの背面と壁面との間に隙間ができてしまった場合であっても、当該隙間に侵入した湯水が背面側開口および底面側開口を通って排出される。従って、本発明によれば、ケースの背面と浴室の壁面との間に形成される空間に湯水が溜まったり、この湯水を原因として故障するのを防止可能な浴室設置用電気・電子機器を提供することができる。
【００１０】
請求項２に記載の発明は、背面側開口が、ケースの背面側であって、浴室の壁面への設置状態において下方側になる位置に設けられていることを特徴とする請求項１に記載の浴室設置用電気・電子機器である。
【００１１】
本発明の浴室設置用電気・電子機器では、背面側開口が設置状態において下方側になる位置にあるため、仮にケースの背面と浴室の壁面との間にできた空間に湯水が侵入するようなことがあっても、当該湯水は、前記空間にほとんど滞留することなく排出される。
【００１２】
請求項３に記載の発明は、凸部が、浴室の壁面への設置状態において当該壁面と対向あるいは面接触する対向面と、壁面に対して交差する交差面とを有し、前記対向面と交差面とによって構成される角部が面取りされていることを特徴とする請求項１又は２に記載の浴室設置用電気・電子機器である。
【００１３】
かかる構成とすれば、凸部の角部を面取りした分だけ、ケースの外縁に沿って充填される充填剤と凸部との接触面積が増大する。従って、本発明によれば、凸部を設けた部分についても充填剤がしっかりと付着可能な浴室設置用電気・電子機器を提供することができる。
【００１４】
ここで、上記したような浴室設置用電気・電子機器は、ケースの内部に収容された電気・電子部品に繋がる電力供給用の配線等を有し、前記ケースから配線を取り出すための配線取出口をケースの背面側に設けた構成であることが多い。かかる構成とした場合、ケースの背面と浴室の壁面との間に形成された隙間に湯水が侵入しても、配線取出口が設けられた位置まで水位上昇するまでに外部に抜ける構成であることが望ましい。
【００１５】
そこで、かかる知見に基づいて提供される請求項４に記載の発明は、ケース内に収容されている電気・電子部品に対して電気的に接続された配線を有し、ケースの背面側に、前記配線をケースの外側に取り出すための配線取出口が設けられており、浴室の壁面への設置状態において前記配線取出口よりも下方側となる位置に背面側開口が設けられていることを特徴とする請求項１〜３のいずれかに記載の浴室設置用電気・電子機器である。
【００１６】
本発明の浴室設置用電気・電子機器では、設置状態において配線取出口よりも下方側となる位置に背面側開口が設けられているため、仮にケースと浴室の壁面との隙間に湯水が侵入するようなことがあっても、当該湯水は、配線取出口に達するまでの間に外部に抜け去る。従って、本発明の浴室設置用電気・電子機器では、配線取出口からケース内に湯水が浸入することによる故障や不具合が起こりにくい。
【００１７】
請求項５に記載の発明は、電気・電子部品、当該電気・電子部品を実装してなる基板、あるいは、当該基板を備えた電気・電子モジュールを設置するための設置スペースがケース内に設けられており、前記設置スペースを外れた位置に背面側開口及び／又は底面側開口が設けられていることを特徴とする請求項１〜４のいずれかに記載の浴室設置用電気・電子機器である。
【００１８】
請求項６に記載の発明は、ケースの背面と浴室の壁面との間に弾性体からなるシール部材が介在し、凸部が前記壁面に押しつけられた状態で取り付け施工されるものであり、前記背面に対する凸部の突出量が、前記シール部材の厚み以下とされており、前記壁面への取り付け施工状態において、前記背面と壁面との間でシール部材が圧縮された状態となることを特徴とする請求項１〜５のいずれかに記載の浴室設置用電気・電子機器である。
【００１９】
かかる構成によれば、浴室の壁面への取り付け施工状態において、シール部材が十分なシール特性を発揮可能な浴室設置用電気・電子機器を提供できる。
【発明の効果】
【００２０】
本発明によれば、浴室の壁面との間に形成された背面側空間に湯水が侵入することにより、背面側空間に湯水が溜まったり、これを原因とする故障を防止可能な浴室設置用電気・電子機器を提供できる。
【発明を実施するための最良の形態】
【００２１】
続いて、本発明の一実施形態にかかるリモコン１（浴室設置用電気・電子機器）について図面を参照しながら詳細に説明する。なお、以下の説明では、特に断りのない限り、通常の設置状態でリモコン１が設置された姿勢を基準として上下左右の位置関係を説明する。
【００２２】
リモコン１は、給湯装置２の操作用に使用されるものであり、図１（ａ）に示すように、給湯装置２に対して有線あるいは無線で接続されている。図１（ａ），（ｂ）に示すように、リモコン１は、浴室Ｂの壁面Ｗに取り付けられる。図２や図３に示すように、リモコン１は、全体形状が略直方体で扁平なケース１０を有する。図４や図５に示すように、ケース１０の内部には、電気・電子部品や、これを実装した基板等を収容してなるリモコンモジュール４０が内蔵されている。
【００２３】
さらに詳細に説明すると、リモコン１を構成するケース１０は、前ケース部１２と後ケース部１３とに大別され、これらを組み合わせて一体化することにより形成される。ケース１０の内側には、後に詳述するリモコンモジュール４０を収容可能な空間１５（設置スペース）が形成されている。
【００２４】
図４や図５に示すように、前ケース部１２は、前枠部２０と、フロント部２１とに大別される。前枠部２０は、平面視が略矩形で枠状の部分であり、ケース１０の外周部分の一部、具体的には外周部のうちリモコン１の操作者側（前面側）の部分を形成するものである。図５に示すように、前枠部２０は、ケース１０として組み立てた状態において、リモコン１の通常の使用形態において底側となる部分（以下、前底部２０ａとも称す）に２つの切欠２２，２２を有する。
【００２５】
切欠２２，２２は、前枠部２０の開放端側、すなわちフロント部２１が設けられたのとは反対側の端部から略矩形状に切り欠いた部分である。また、切欠２２，２２は、それぞれケース１０の幅方向両端部よりもやや中心よりに外れた位置に設けられている。
【００２６】
フロント部２１は、前枠部２０に対して略垂直であり、リモコン１の設置時に操作者側に向く面を構成する部分である。図４に示すように、フロント部２１は、上側のパネル部２１ａと、下側のカバー部２１ｂとに大別される。
【００２７】
パネル部２１ａには、正面視が略矩形の開口１６や、ボタン１７、長孔１８等が設けられている。開口１６は、後に詳述するリモコンモジュール４０の表示部４２を露出させるための開口である。また、ボタン１７は、正面視が丸形で、リモコンモジュール４０に組み込まれた押しスイッチ４３を押圧可能なように設けられたものである。ボタン１７は、開口１６の上側にパネル部２１ａの幅方向に５つ並べて設けられている。また、長孔１８は、リモコンモジュール４０に設けられたスピーカー４７に対応する位置に設けられている。
【００２８】
カバー部２１ｂは、パネル部２１ａの下方に存在している。図３に示すように、カバー部２１ｂは、下端側に設けられたヒンジ１９によって前ケース部１２に対して軸支されており、後に詳述するリモコンモジュール４０の下方側の部分を覆っている部分である。図２（ａ）や図４に矢印で示すように、カバー部２１ｂは、リモコン１の正面側から開閉することができる。リモコン１は、カバー部２１ｂを開状態とすることにより、リモコンモジュール４０の下方側の領域に設けられた調整スイッチ４５を露出させ、操作することができる。
【００２９】
一方、図４〜図６に示すように、後ケース部１３は、背板部３０を有し、これに後枠部３１や、区画リブ３２、リブ部３３（凸部）が一体的に設けられた状態となっている。背板部３０は、略矩形で板状の部分であり、リモコン１として組み立てた状態においてケース１０内の空間１５側を向く表面３０ａと、リモコン１の設置時に壁面Ｗ側を向く背面３０ｂとを有する。背板部３０の中央部には、配線取出口３５が設けられている。配線取出口３５は、リモコン１のケース１０内に収容されるリモコンモジュール４０に繋がる配線４６を外側に取り出すためのものであり、背板部３０の厚み方向に貫通している。
【００３０】
後枠部３１は、背板部３０の表面３０ａ側において、その外縁部分を取り囲むように設けられたリブ状の部分である。後枠部３１は、表面３０ａに対して僅かに突出しており、境界部分が段状となっている。後枠部３１は、後ケース部１３の幅方向に向けて伸びる天部３１ａおよび底部３１ｂと、後ケース部１３の幅方向両端側において上下方向に伸びる側部３１ｃ，３１ｄとを有する。
【００３１】
区画リブ３２は、後枠部３１と同様に背板部３０の表面３０ａ側に設けられたリブ状の部分である。区画リブ３２は、後枠部３１と同程度だけ表面３０ａから突出している。区画リブ３２は、後ケース部１３の幅方向両側において、後枠部３１の側部３１ｃ，３１ｄに沿って、後ケース部１３の高さ方向（図示状態において上下方向）に直線的に伸びている。区画リブ３２は、後枠部３１に対して内側、すなわち後ケース部１３の幅方向中央側に僅かな間隙３６を開けて隣接した位置にある。
【００３２】
上記した間隙３６，３６内であって、リモコン１の設置状態において下方側に偏在した位置、すなわち後枠部３１の底部３１ｂ側に隣接する位置には、背面側開口３７，３７が設けられている。すなわち、背面側開口３７は、後ケース部１３において下側の両隅近傍において開口している。背面側開口３７，３７は、いずれも上下方向に細長い間隙３６，３６に沿って伸びた長孔状の開口形状を有している。背面側開口３７，３７は、いずれも背板部３０の厚み方向に貫通している。
【００３３】
後ケース部１３の幅方向両端部近傍に設けられた区画リブ３２，３２、並びに、後枠部３１の天部３１ａおよび底部３１ｂとで囲まれた部分には、領域３８が形成されている。この領域３８は、後に詳述するリモコンモジュール４０が固定される部分である。
【００３４】
一方、図５等に示すように、背板部３０の背面３０ｂ側には、リブ部３３が設けられている。リブ部３３は、リモコン１の取り付け施工時に充填されるコーキング剤Ｃ（充填剤）の侵入を抑制するための突堤としての機能を発揮するものである。図５や図６（ｂ）等に示すように、背板部３０の四隅に沿うように略「Ｌ」字型の形状とされており、背面３０ｂに対して略垂直に突出している。
【００３５】
図６（ｃ）に示すように、リブ部３３は、背板部３０の背面３０ｂから突出量ｄだけ突出している。リブ部３３の突出量ｄは、リモコン１の取り付け施工時に、背面３０ｂと浴室Ｂの壁面Ｗとの間に配されるパッキング５３（シール部材）の厚みＤ以下とされている。また、パッキング５３は、ゴム等の弾性体によって構成されている。図５や図６（ｂ）に示すように、パッキング５３は、正面視が略アーチ状の形状を有している。パッキング５３は、背板部３０の中央に設けられた配線取出口３５の外周側に配されている。
【００３６】
パッキング５３は、リブ部３３が浴室Ｂの壁面Ｗに当接するように取り付けた際に、背面３０ｂと壁面Ｗとの間で圧縮され、弾性変形した状態になる。これにより、パッキング５３で囲まれた領域内に、パッキング５３を超えて湯水が浸入しないようにシールすることができる。
【００３７】
図６（ｃ）に示すように、リブ３３は、コーナーカット加工が施され、面取りされている。すなわち、リブ３３には、浴室Ｂの壁面Ｗへの設置時に壁面Ｗと対向する対向面３３ａと、壁面Ｗに対して交差する交差面３３ｂと、対向面３３ａおよび交差面３３ｂによって構成される角部を面取りして形成される角面３３ｃとを有する。角面３３ｃは、リモコン１の外側を向いている。
【００３８】
背板部３０に設けられた背面側開口３７，３７は、それぞれ上記した４つのリブ部３３のうち、後ケース部１３の下端側、すなわち後枠部３１の底部３１ｂ側に位置する２つのリブ部３３（以下、必要に応じて下リブ部３３とも称す）に対して隣接する位置に開口している。すなわち、背面側開口３７，３７は、リブ部３３に対して背板部３０の中心側に隣接した位置に開口している。
【００３９】
図４に示すように、上記したリモコンモジュール４０は、外観が略直方体状の筐体４１を有し、これに表示部４２や押スイッチ４３、調整スイッチ４５、スピーカー４７等を設けたものである。筐体４１の内部には、電気・電子部品（図示せず）やこれを実装した基板（図示せず）が内蔵されている。表示部４２は、筐体４１を構成する一面（以下、表面とも称す）側であって、高さ方向略中央部に設けられている。また、押スイッチ４３は、表示部４２に対して上方の位置に、リモコンモジュール４０の幅方向に５つ並べて設けられている。また、調整スイッチ４５は、表示部４２に対して下方側の領域に設けられている。スピーカー４７は、表示部４２に近接した位置に設けられている。また、リモコンモジュール４０は、筐体４１内の基板に繋がる配線４６を有する。配線４６は、表示部４２等が設けられた面に対向する面（以下、背面とも称す）から筐体４１の外側に向けて導出されている。
【００４０】
図４や図５に示すように、リモコン１は、筐体４１の表面側が前ケース部１２側に向き、裏面側が後ケース部１３側に向く姿勢として、リモコンモジュール４０を後ケース部１３の表面に固定して一体化したものに、前ケース部１２を装着することにより構成される。さらに具体的には、本実施形態では、図６（ａ）に示すように、後ケース部１３に形成された領域３８の外縁に沿って、通電により発熱するホットワイヤ６５が設けられている。リモコンモジュール４０は、後ケース１３の領域３８内にリモコンモジュール４０を配した状態でホットワイヤ６５に通電することにより、後ケース１３に溶着され、一体化されている。これにより、リモコン本体６０が形成されている。
【００４１】
リモコン１は、上記したようにして後ケース１３とリモコンモジュール４０とを一体化したリモコン本体６０に対し、リモコンモジュール４０の表面側から前ケース部１２を被せることにより組み立てられる。本実施形態のリモコン１では、前ケース１２を被せると、前ケース１２側およびリモコン本体６０（後ケース１３あるいはリモコンモジュール４０）側に設けられた係合手段（図示せず）が係合し、一体化された状態になる。
【００４２】
上記したようにしてリモコン１を組み立てると、リモコンモジュール４０の表示部４２が前ケース部１２の開口１６から露出した状態になると共に、各押スイッチ４３に対応する位置に前ケース部１２に設けられた各ボタン１７が到来した状態になる。また、前ケース部１２の長孔１８に相当する位置に、リモコンモジュール４０のスピーカー４７が到来すると共に、調整スイッチ４５が設けられた部分が、前ケース部１２のカバー部２１ｂによって覆われた状態になる。
【００４３】
また、リモコンモジュール４０は、リモコン１の組み立て状態において、後ケース部１３の領域３８内に位置決めされた状態になる。また、リモコンモジュール４０の背面側に設けられた配線４６は、後ケース部１３の中央に設けられた配線取出口３５からケース１０の外側に導出された状態になる。
【００４４】
上記したようにして前ケース部１２と後ケース部１３とを一体化してケース１０を形成すると、図３に示すように、ケース１０の底側の部分、すなわち前枠部２０の前底部２０ａと、後枠部３１の底部３１ｂとによって形成される部分（以下、底部１０ａとも称す）に切欠２２，２２により底面側開口５０，５０が形成される。また、ケース１０を組み立てた状態とすると、背面側開口３７，３７から流入した湯水をリモコンモジュール４０や、電気・電子部品、基板等を回避して底面側開口５０，５０から排出可能な状態となる。
【００４５】
すなわち、ケース１０において、背面側開口３７，３７は、後ケース部１３の後枠部３１と区画リブ３２，３２との間に形成された間隙３６，３６に開口している。そのため、背面側開口３７，３７から湯水が流入すると、当該湯水は間隙３６，３６の底面に沿って前ケース部１２側に向けて流れた後、前ケース部１２の前枠部２０を構成する前底部２０ａ上を流れる。そして、前底部２０ａ上を流れる湯水は、やがて底面側開口５０，５０に到達し、ケース１０の外部に向けて流れて排出されることとなる。一方、リモコンモジュール４０は、ケース１０内に収容した状態において、前底部２０ａには接触しておらず、これよりもやや上方に外れた位置にある。そのため、ケース１０を組み立てた状態とすると、背面側開口３７，３７から流入した湯水をリモコンモジュール４０等を回避して底面側開口５０，５０から排出可能な状態となる。
【００４６】
続いて、上記したリモコン１の設置状態について図面を参照しながら詳細に説明する。図１（ｂ）や図２に示すように、壁面Ｗへの設置時に、リモコン１は、ケース１０を構成する前ケース部１２のフロント部２１が手前に向き、後ケース部１３の背板部３０が壁面Ｗ側を向くと共に、ケース１２の底部１０ａが下方を向く姿勢とされる。
【００４７】
リモコン１の取り付け施工方法について説明すると、リモコン１を浴室Ｂ内の壁面Ｗに取り付けする場合は、先ず、後ケース部１３とリモコンモジュール４０とを予め一体化して形成されたリモコン本体６０が壁面Ｗにネジ止めされる。すなわち、図４や図５等に示すように、リモコン本体６０は、後ケース部１３やリモコンモジュール４０に設けられた貫通孔６１，６２に挿通されたネジにより壁面Ｗにネジ止めされる。
【００４８】
上記したようにしてリモコン１を壁面Ｗに取り付ける際は、後ケース部１３を構成する背板部３０と壁面Ｗとの間に、ゴム等の弾性体からなるパッキング５３が介在した状態とされる。この状態で後ケース部１３に設けられたリブ部３３が浴室Ｂの壁面Ｗに押しつけられた状態になるまでリモコン本体６０をネジ止めすると、パッキング５３が背板部３０と壁面Ｗとの間で弾性変形して圧縮された状態になり、背板部３０や壁面Ｗに密着した状態になる。また、これにより、パッキング５３を超えて配線取出口３５側に湯水が浸入できない状態になる。
【００４９】
上記したようにしてリモコン本体６０が壁面Ｗに取り付けられると、これに対して、前ケース部１２が被せられる。これにより、前ケース部１２側およびリモコン本体６０側に設けられた図示しない係合手段が係合し、両者が一体化された状態になる。これにより、リモコン１が壁面Ｗに取り付けられた状態になる。
【００５０】
上記したようにしてリモコン１が壁面Ｗに対して取り付けられると、図１（ｂ）に示すようにリモコン１と壁面Ｗとの境界部分、すなわちケース１０の背面側の部分に、ケース１０の全周にわたって、いわゆるコーキング剤Ｃ（充填剤）が充填される。これにより、リモコン１と壁面Ｗとの間に形成される僅かな隙間がコーキング剤Ｃ（充填剤）によって埋まった状態になる。
【００５１】
上記したように、本実施形態のリモコン１は、ケース１０の背板部３０であって、設置状態において下方側となる位置（底部１０ａ側の位置）に背面側開口３７を有するが、この背面側開口３７に対してケース１０の外周側に隣接する位置に略「Ｌ」字型のリブ部３３がある。そのため、リモコン１は、設置時に背板部３０と壁面Ｗとの間に形成される隙間にコーキング剤Ｃを充填しても、背板部３０と壁面Ｗとの間にある隙間であって、ケース１０の四隅に設けられたリブ部３３に相当する部分の延長上にある領域Ｘ１〜Ｘ４にはコーキング剤Ｃが直接的に侵入しない。すなわち、図６（ｂ）に示すように、リブ部３３の端部を通り、ケース１０の外周と平行な仮想線を想定した場合に、この仮想線とリブ部３３とで囲まれる領域Ｘ１〜Ｘ４を想定した場合、ケース１０の外周に沿ってコーキング剤Ｃを充填してもリブ部３３を超えて領域Ｘ１〜Ｘ４側にコーキング剤Ｃが侵入しない。
【００５２】
上記したように、本実施形態のリモコン１において、背面側開口３７，３７は、背板部３０の下端側の両隅にある領域Ｘ１，Ｘ２内であってリブ部３３に隣接する位置に、リブ部３３に沿って形成されている。すなわち、背面側開口３７，３７は、領域Ｘ１，Ｘ２内でもリブ部３３に近い位置に設けられている。そのため、仮にリモコン１の取り付け施工時に、コーキング剤Ｃを充填することにより、リブ部３３が設けられていない部分から背板部３０と壁面Ｗとの間に侵入したコーキング剤Ｃの一部が領域Ｘ１，Ｘ２内に回り込むようなことがあったとしても、このコーキング剤Ｃによって背面側開口３７，３７が塞がれてしまう可能性が極めて低い。
【００５３】
また、リモコン１は、リブ部３３が面取りされ、角面３３ｃを有する構成とされており、その分コーキング剤Ｃが付着する部分の表面積が大きくなっている。そのため、リモコン１は、リブ部３３を設けた部分についても、コーキング剤Ｃがしっかりと付着する。
【００５４】
上記したように、背面側開口３７，３７や底面側開口５０，５０は、いずれもリモコン１において下端側の位置に設けられている。そのため、ケース１０の背板部３０と浴室Ｂの壁面Ｗとの間に湯水が浸入しても、この湯水は位置水頭の影響によりスムーズに外部に払い出される。
【００５５】
上記したリモコン１は、ドライバー等の工具を底面側開口５０，５０に差し込んだ後、工具を手前側に引いたりこじる等すれば、前ケース部１２とリモコン本体６０との係合を解き、前ケース部１２を取り外すことができる構造となっている。本実施形態では、メンテナンス等のために前ケース部１２を取り外す場合における底面側開口５０，５０への工具の差し込みやすさや、工具を用いて作業する際に工具と前ケース部１２との接触部分に応力が作用することを考慮し、底面側開口５０，５０を背面側開口３７，３７が設けられた位置よりもリモコン１の幅方向中央側に少しずれた位置に設けている。
【００５６】
なお、底面側開口５０，５０は、前ケース部１２を取り外す際の作業効率や、取り外し作業に伴う前ケース部１２の破損の可能性等を考慮すれば、上記したような位置に設けることが望ましいが、本発明はこれに限定されるものではない。すなわち、底面側開口５０，５０は、上記した例よりもリモコン１の幅方向外側、あるいは、内側にずれた位置にあってもよい。
【００５７】
本実施形態のリモコン１では、ケース１０の内部に存在するリモコンモジュール４０をはじめとする電気・電子部品等の配置を考慮して背面側開口３７，３７がケース１０の幅方向両端部近傍に設けられている。すなわち、リモコン１において、ケース１０内に電気・電子部品を実装した基板等を配置する場合は、ケース１０の中心側に電気・電子部品等の水に濡れると不具合を起こすものを配さない構成とするのは困難を要する。
【００５８】
一方、ケース１０の四隅には、電気・電子部品等の水に濡れると不具合を起こすものを配さない構成としやすい。また、例えば、リモコン１の組み立て段階において、電気・電子部品を実装した基板を組み込んだ後、その角の部分を切り離す等の方策を施す等することによっても、ケース１０の隅の部分に電気・電子部品等の水に濡れると不具合を起こすものが配されていない空間を形成することができる。
【００５９】
本実施形態のリモコン１では、上記したような電気・電子部品や、これらを実装した基板等の配置を考慮すると共に、背面３０ｂと壁面Ｗとの間に浸入してきた湯水をスムーズに排出可能とするために、リモコン１の隅であって、設置状態において下方側に位置する部分に背面側開口３７，３７を設けている。
【００６０】
また、本実施形態のリモコン１では、配線取出口３５の周辺を取り囲むパッキン（図示せず）が存在することにより、背板部３０と浴室Ｂの壁面Ｗとの間に湯水が浸入した湯水がケース１０の幅方向両端側に集まる傾向にあることをも考慮して背面側開口３７，３７がケース１０の幅方向両端部近傍に設けられている。そのため、リモコン１は、仮に背板部３０と浴室Ｂの壁面Ｗとの間に湯水が浸入したとしても、これをスムーズに排出することができる。
【００６１】
上記したように、リモコン１は、仮に背面３０ｂと浴室Ｂの壁面Ｗとの間に湯水が浸入してもこれがスムーズに排出されるため、ケース１０内にあるリモコンモジュール４０をはじめとする電気・電子部品等が湯水に濡れたり、故障する等の不具合が起こりにくい。
【００６２】
なお、上記実施形態では、ケース１０の幅方向両隅に背面側開口３７，３７を設けた構成を例示したが、本発明はこれに限定されるものではなく、いずれか一方のみを備えた構成であってもよい。また、背面側開口３７を設ける位置は、ケース１０の幅方向両端側の位置に限定されるものではなく、ケース１０の幅方向中間部に設けた構成であってもよい。
【００６３】
また、上記したようにケース１０の幅方向中間部に背面側開口３７を設ける場合についても、上記実施形態で示したのと同様に背板部３０の下端側（底部１０ａ側）の位置に設けることが望ましい。また、ケース１０の幅方向中間部に背面側開口３７を設ける場合は、図７に示すように、ケース１０の外縁に沿って幅方向に伸びるリブ部５５を設けることが望ましい。かかる構成とすれば、リモコン１の設置時にコーキング剤Ｃを充填することにより、コーキング剤Ｃによって背面側開口３７が閉塞されてしまうのを防止することができる。また、リブ部５５についても、上記したリブ部３３と同様に面取りした構成とすれば、コーキング剤Ｃとの接触面積を増大させ、コーキング剤Ｃをしっかりと付着させることができる。
【００６４】
なお、上記実施形態では、リブ部３３の角部を面取りして角面３３ｃを形成した構成を例示したが、本発明はこれに限定されるものではなく、面取りしない構成としてもよい。また、上記実施形態では、背板部３０の四隅に、外縁部分に沿って略「Ｌ」字型のリブ部３３を設けた構成を例示したが、本発明はこれに限定されるものではなく、例えばリブ部３３に相当するものを全周にわたって設けた構成としてもよい。
【００６５】
また、上記実施形態では、壁面Ｗへの取り付け状態を安定化する等の目的により、リモコン１の設置状態において上側に位置する部分であって、背面側開口３７を設けていない部分についてもリブ部３３を設けた構成を例示したが、本発明はこれに限定されるものではない。すなわち、リモコン１の上側の部分に設けていたリブ部３３，３３を省略した構成としたり、壁面Ｗへの取り付け状態の安定化を考慮して当該部分に設けられたリブ部３３，３３に代わってリブ部３３，３３と同程度だけ背板部３０から突出した脚等を設けた構成としてもよい。
【００６６】
上記実施形態で示したリモコン１は、電気・電子部品やこれを実装した基板をモジュール化してリモコンモジュール４０とし、これをケース１０に内蔵したものであったが、電気・電子部品や基板をモジュール化することなくケース１０内に収容した構成としてもよい。
【００６７】
上記実施形態では、浴室Ｂの壁面Ｗに設置される浴室設置用電気・電子機器の一例として、給湯装置２用のリモコン１を例示したが、本発明はこれに限定されるものではなく、例えば浴室設置用のテレビやラジオ、オーディオ装置等のようなＡＶ機器類等について、上記したのと同様の構成を採用してもよい。
【図面の簡単な説明】
【００６８】
【図１】（ａ）は浴室へのリモコンの設置状態の概略を示す断面図であり、（ｂ）は浴室の壁面へのリモコンの設置状態を示す斜視図、（ｃ）は浴室の壁面へのリモコンの設置状態を示す側面図である。
【図２】（ａ）はリモコンを正面側から観察した状態を示す斜視図であり、（ｂ）はリモコンを裏面側から観察した状態を示す斜視図である。
【図３】リモコンを底部側から観察した状態を示す斜視図である。
【図４】リモコンを示す分解斜視図である。
【図５】リモコンを示す分解斜視図である。
【図６】（ａ）は後ケース部の表面側の構造を示す平面図、（ｂ）は後ケース部の背面側の構造を示す平面図、（ｃ）はリブ部近傍を拡大した斜視図である。
【図７】後ケース部の背面側の構造の変形例を示す平面図である。
【符号の説明】
【００６９】
１        リモコン（浴室設置用電気・電子機器）
１０        ケース
１０ａ      底部
１５        空間（設置スペース）
３０        背板部
３０ｂ      背面
３３，５５  リブ部（凸部）
３３ａ      対向面
３３ｂ      交差面
３３ｃ      角面
３５        配線取出口
３７        背面側開口
４０        リモコンモジュール（電気・電子モジュール）
４６        配線
５０        底面側開口
Ｂ        浴室
Ｗ        壁面
【図１】
2008246134.tif 000003
【図２】
2008246134.tif 000004
【図３】
2008246134.tif 000005
【図４】
2008246134.tif 000006
【図５】
2008246134.tif 000007
【図６】
2008246134.tif 000008
【図７】
2008246134.tif 000009